(57)【要約】      （修正有）【課題】太陽光発電とてこ棒と滑車を組み合わせることで発電できる電動発電機を提供する。【解決手段】同じ長さの、てこ棒１を２本使用する。てこ棒の軸２は引き上げると回転し、引き下げると空回転出来る様にする。これで、てこ棒の回転運動が出来る。てこ棒の先端に動滑車７を取り付け、真上に定滑車６を取り付ける。定滑車と動滑車に、動滑車が上下運動出来る様にしてワイヤーロープ５をかけ、定滑車に掛けたワイヤーロープをクランクシャフト１２に取り付ける。このクランクシャフトをバッテリー１５に接続されたモーター１３で回転させる事でクランクシャフトが定滑車のワイヤーロープを交互に引き上げ、引き下げを繰り返し、てこ棒の上下運動を繰り返す事で軸棒の回転運動をさせる。この軸棒２に歯車を取り付けて発電機１４を回転させ発電する。【選択図】図１
0003174519.tif 000002
【実用新案登録請求の範囲】
【請求項１】
イ）  同じ長さの、てこ棒を２本使用する。てこ棒の軸（支点）は引き上げると回転し、引き下げると空回転出来る様にする。これで、てこ棒の先端を上下させる事で、てこ棒の軸の回転運動が出来る。てこ棒の先端に、動滑車を取り付ける。動滑車が上下運動が出来る空間を取り真上に定滑車を取り付ける。定滑車が動滑車を上下運動出来る様にしてワイヤーロープを取り付ける。これで、定滑車に取り付けたワイヤーロープを引き上げ、引き下げを繰り返す事で動滑車がてこ棒の先端を上下運動させ、てこ棒の軸の回転運動が出来る。２本のてこ棒が交互に上下運動が出来る様にするために定滑車が動滑車を引き上げる力で別の動滑車が引き下がる様にするため２本のてこ棒の先端をワイヤーロープで結び真下に車輪を取り付けるこの車輪にワイヤーロープをかける事で、片方の動滑車が引き上げる力で別の動滑車が引き下がり交互に、てこ棒の先端が上下運動し、てこ棒の軸の回転運動が出来る。ロ）  大きな回転力を生み出すために２本のてこ棒を長くして定滑車、動滑車の車輪の数を増やす事で大きな回転力を生み出す事が出来る。てこ棒を長くした分と滑車の車輪の数を増やした分、定滑車にかけたワイヤーロープを長く引き上げ、引き下げをするために、別のてこ棒２本使用する。２本のてこ棒の軸に大きな歯車を取り付け、この大きな歯車に小さい歯車を噛み合わせる、小さい歯車の軸棒にプーリーを取り付ける、このプーリーに定滑車に取り付けたワイヤーロープをプーリーに取り付ける、片方のプーリーがワイヤーロープを巻き付けると別のプーリーが巻き戻す様にする事で交互にプーリーが高速でワイヤーロープを長く引き上げ、引き下げる事で回転を落とさずに回転力を生み出す事が出来る。ハ）  発電機は交流１００ボルトで発電する、発電した交流１００ボルトを直流１２ボルトに変換し、バッテリーに常時、充電出来る様にする。充電したバッテリーの電気で直流モーターを回転させる、この直流モーターでクランクシャフトを回転させる。クランクシャフトが２本のてこ棒の先端を交互に左右させる事で、てこ棒の軸に取り付けた大きな歯車が小さい歯車を回転させ小さい歯車の軸棒に取り付けたプーリーが高速で回転し、定滑車のワイヤーロープをプーリーが、交互に巻き付け、巻き戻しを繰り返し定滑車が動滑車を交互に上下運動させる。  動滑車が２本の、てこ棒の先端を交互に上下運動させて、てこ棒の軸の回転運動をさせて大きな回転力を生み出す、てこ棒の軸棒に大小の歯車を噛み含わせ、さらに回転を上げ、発電機に合わせた回転にして発電機を回転させて発電をする。以上の工程を繰り返す事で、外部から充電もしないで、長時間、発電する事が出来る。以上、  イ）  ロ）  ハ）  の構成からなる。外部から充電もしないで長時間、発電が出来る様にした、電動発電機。
【請求項２】
〔請求項１〕の、てこ棒と滑車を組み合わせて大きな力を生み出して利用する機種。
【考案の詳細な説明】
【技術分野】
【０００１】本考案は、てこ棒と滑車を組合せ回転運動が出来る様にする事で回転力を大きくし、直流モーターで、発電機を回転させて、発電出来る様にする。発電した交流１００ボルトを直流１２ボルトに変換し常時バッテリーに充電出来る様にする。
【背景技術】
【０００２】従来より、どんな所でも、移動出来る発電機は、ガソリン、エンジンを使用した発電機が知られている。最近は、他の燃料を使用した発電機もありますが、燃料を一切使用しない電動発電機は見当らない。
【考案の概要】
【考案を解決するための手段】
イ）同じ長さの、てこ棒を２本使用する。てこ棒の輪（支点）は先端を引き上げると回転し、引き下げると空回転出来る様にする。これで、てこ棒の軸（支点）の回転運動が出来る。２本の、てこ棒の先端に動滑車を取り付ける。真上に空間を取り定滑車を取り付け、定滑車が動滑車を上下運動出来る様にワイヤーロープを取り付ける。これで、定滑車のワイヤーロープを引き上げ、引き下げを繰り返す事で動滑車がてこ棒の先端を上下連動させ、てこ棒の軸の回転運動が出来る。この工程が、てこ棒と滑車を組合せて大きな力を生み出す事が出来る。ロ）２本の、てこ棒が交互に上下運動をするために定滑車が動滑車を引き上げる力で別の動滑車が引き下がる様にするため２本の、てこ棒の先端の真下に車輪を取り付け、２本の、てこ棒の先端を、ワイヤーロープで結び真下に取り付けた車輪にかける事で、片方の動滑車が引き上げる力で、別の動滑車が引き下がり、交互に、てこ棒が上下運動し回転運動が出来る。ハ）大きな力を生み出すために、２本の、てこ棒を長くして、定滑車、動滑車の数を増やす事で大きな力を生み出す事が出来る。てこ棒を長くした分と、滑車の数を増やした分、定滑車にかけたワイヤーロープを長く引き上げ、又、引き下げをするために、別の、てこ棒２本、使用する、２本の、てこ棒の軸に大きな歯車を取り付け、この大きな歯車に小さい歯車を噛み合わせる、小さい歯車の軸棒に、プーリーを取り付ける、このプーリーに定滑車に取り付けた、ワイヤーロープをプーリーに取り付ける、プーリーがワイヤーロープを巻き付け、巻き戻しが出来る様にする事で、プーリーが高速で、ワイヤーロープを長く引き上げ、引き下げる事で、回転を落とさずに、回転力を生み出す事が出来る。大きな回転力を生み出した、てこ棒の軸棒に、大きな歯車を取り付け、この歯車に小大の歯車を噛み合わせ、さらに回転を上げて発電機を回転させて発電する。ニ）発電機は、交流、１００ボルトで発電する、発電した交流１００ボルトを、直流、１２ボルトに変換し、バッテリーに常時、充電出来る様にする。充電した、バッテリーの電気で直流モーターを回転させる。この直流モーターで、クランクシャフトを回転させて２本の、てこ棒の先端を左右、交互に動かす事で、てこ棒の軸棒の回転運動が出来る事により、発電機を回転させて発電する。この工程を繰り返す事で、外部から充電もしないで、長時間、発電する事が出来る。以上、イ）ロ）ハ）ニ）の構成からなる、ガソリン、その他、燃料を一切、使用しない、外部から充電もしないで、長時間、発電が出来る様にした、電動発電機。
【図１】
0003174519.tif 000003
【手続補正書】
【提出日】平成23年10月4日(2011.10.4)
【手続補正１】
【補正対象書類名】実用新案登録請求の範囲
【補正対象項目名】全文
【補正方法】変更
【補正の内容】
【実用新案登録請求の範囲】
【請求項１】
同じ長さのてこ棒を二本使用するてこ棒の軸は引き上げると回転し引き下げると空回転できる様にするこれでてこ棒の軸の回転運動ができる  てこ棒の先端に動滑車を取り付ける真上に動滑車が上下運動ができる空間をとり定滑車を取り付ける定滑車と動滑車に力が出せる様にしてワイヤーロープを取り付ける定滑車に掛けたワイヤーロープを右のクランクシャフトに取り付け左のクランクシャフトに別の定滑車のワイヤーロープを取り付けるこのクランクシャフトを直流モーターで回転させることでクランクシャフトが定滑車のワイヤーロープを左右交互に引き上げ引下げを繰り返すことで定滑車のワイヤーロープが動滑車を上下運動させててこ棒の軸の回転運動ができる引き上がった動滑車を引き下げるために左右のてこ棒の先端にワイヤーロープを取り付け真下に車輪を取り付けるこの車輪にワイヤーロープを掛けることで片方の動滑車が引き上がる力で別の動滑車が引き下がり左右交互に引き上げ引き下げを繰り返すことでてこ棒の軸の回転運動ができるこの軸の回転力で発電機を回転させて発電する  発電機は交流１００ボルトで発電し発電した電気を直流１２ボルトに変換しバッテリーに充電できるようにする充電したバッテリーの電気で直流モーターを回転させて発電する。
「以上の構成からなることを特徴とする電動発電機。」
【手続補正２】
【補正対象書類名】明細書
【補正対象項目名】全文
【補正方法】変更
【補正の内容】
【考案の詳細な説明】
【技術分野】
【０００１】同じ長さのてこ棒を二本使用するてこ棒の軸は引き上げると回転し引き下げると空回転できる様にするこれでてこ棒の軸の回転運動ができるてこ棒の先端に動滑車を取り付ける真上に動滑車が上下運動が出来る空間をとり定滑車をとりつける定滑車と動滑車に力が出せる様にしてワイヤーロープを取り付ける定滑車に掛けたワイヤーロ−プを右のクランクシャフトに取り付け左のクランクシャフトに別の定滑車のワイヤーロープを取り付けるこのクランクシャフトを直流モーターで回転させることでクランクシャフトが定滑車のワイヤーロープを左右交互に引き上げ引き下げを繰り返すことで定滑車のワイヤーロープが動滑車を上下運動させててこ棒の軸の回転運動ができる引き上がった動滑車を引き下げるために左右のてこ棒の先端にワイヤーロープを取り付け真下に車輪を取り付けるこの車輪にワイヤーロープを掛けることで片方の動滑車が引き上がる力で別の動滑車が引き下がり左右交互に引き上げ引き下げを繰り返すことでてこ棒の軸の回転運動ができるこの軸の回転力で発電機を回転させて発電する発電機は交流１００ボルトで発電し発電した電気を直流１２ボルトに変換しバッテリーに充電する充電したバッテリーの電気で直流モーターを回転させて発電する。
「以上の構成からなることを特徴とする電動発電機。」
【図面の簡単な説明】
【０００２】
【図１】全体図  てこ棒を二本使用するてこ棒の軸は引き上げると回転し引き下げると空回転できるようにするこれで軸の回転運動ができるてこ棒の先端に動滑車を取り付け真上に定滑車を取り付ける定滑車と動滑車にワイヤ−ロープをかける定滑車のワイヤーロープを右のクランクシャフトに取り付け左のクランクシャフトに別の定滑車のワイヤーロープを取り付けるこのクランクシャフトを直流モーターで回転させることでクランクシャフトが定滑車のワイヤーロープを左右交互に引き上げ引き下げを繰り返すことで動滑車を上下運動をさせることでてこ棒の力と滑車の力が組み合わされててこ棒の軸に大きな回転力が生まれるこの回転力で発電機を回転させて発電する。
【符号の説明】
【０００３】１  てこ棒  ２  てこ棒の軸  ３  引き上げると回転  ４  引き下げると空回転
５  ワイヤーロープ  ６  定滑車  ７  動滑車  ８  右のクランクシャフト
９  左のクランクシャフト  １０  回転  １１  車輪  １２  クランクシャフト
１３  直流モーター  １４  発電機  １５  バッテリー  １６  バッテリーに充電
１７  交流１００ボルトで発電  １８  直流１２ボルトに変換  １９  上下運動
【手続補正３】
【補正対象書類名】図面
【補正対象項目名】全図
【補正方法】変更
【補正の内容】
【図１】
0003174519.tif 000004
【手続補正書】
【提出日】平成23年12月29日(2011.12.29)
【手続補正１】
【補正対象書類名】実用新案登録請求の範囲
【補正対象項目名】全文
【補正方法】変更
【補正の内容】
【実用新案登録請求の範囲】
【請求項１】
（１）太陽光発電パネルを取り付ける発電した電気を常時バッテリーに充電できるようにする、
（２）同じ長さのてこ棒を二本使用するてこ棒の軸（支点）はてこ棒の先端を引き上げると軸が回転し、てこ棒の先端を引き下げると軸が空回転できるようにするこれでてこ棒の軸の回転運動ができる、
（３）左右のてこ棒の先端に動滑車を取り付ける真上に空間をとり左右に定滑車を取り付ける左右の定滑車と動滑車に力がでるようにしてワイヤーロープを取り付ける、
（４）右の定滑車に掛けたワイヤーロープを右のクランクシャフトの先端に取り付ける左の定滑車に掛けたワイヤーロープを左のクランクシャフトの先端に取り付けるこのクランクシャフトを直流モーターで回転させることで右のクランクシャフトが右の定滑車のワイヤーロープを引き上げ左のクランクシャフトが左の定滑車のワイヤーロープを引き下げることで左右交互に定滑車のワイヤーロープを引き上げ引き下げを繰り返すことで動滑車がてこ棒の先端を上下運動してこ棒の軸の回転運動ができるこの組み合わせでてこ棒の力と滑車の力が組み合わされててこ棒の軸に大きな回転力が生まれるこの大きな軸の回転力で発電機を回転させて発電する、
（５）発電機は交流１００ボルトで発電する夜間など太陽光発電ができないため発電機で発電した交流１００ボルトを直流１２ボルトに変換してバッテリーに常時充電できるようにする又外部より充電ができるように充電器を取り付ける、
以上（１）（２）（３）（４）（５）の構成からなることを特徴とする電動発電機。
【手続補正２】
【補正対象書類名】明細書
【補正対象項目名】全文
【補正方法】変更
【補正の内容】
【考案の詳細な説明】
【技術分野】
【０００１】本考案は、太陽光発電と、てこ棒と滑車を組み合わせ回転運動が出来るようにすることで、てこ棒の力と滑車の力が組み合わさりてこ棒の軸に大きな回転力が生まれる、この軸の大きな回転力で発電機を回転させて発電ができるようにする。
【背景技術】
【０００２】従来より、移動できる発電機は、ガソリン、エンジンを使用した発電機が多く販売されているが電動発電機は見当たらない。
【考案の概要】
【考案を解決するための手段】
【０００３】（１）太陽光発電パネルを取り付ける発電した電気を常時バッテリーに充電できるようにする、
（２）同じ長さのてこ棒を二本使用するてこ棒の軸（支点）はてこ棒の先端を引き上げると軸が回転し、てこ棒の先端を引き下げると軸が空回転できるようにするこれでてこ棒の軸の回転運動ができる、
（３）左右のてこ棒の先端に動滑車を取り付ける真上に空間をとり左右に定滑車を取り付ける左右の定滑車と動滑車に力がでるようにしてワイヤーロープを取り付ける、
（４）右の定滑車に掛けたワイヤーロープを右のクランクシャフトの先端に取り付ける左の定滑車に掛けたワイヤーロープを左のクランクシャフトの先端に取り付けるこのクランクシャフトを直流モーターで回転させることで右のクランクシャフトが右の定滑車のワイヤーロープを引き上げ左のクランクシャフトが左の定滑車のワイヤーロープを引き下げることで左右交互に定滑車のワイヤーロープを引き上げ引き下げを繰り返すことで動滑車がてこ棒の先端を上下運動してこ棒の軸の回転運動ができるこの組み合わせでてこ棒の力と滑車の力が組み合わされててこ棒の軸に大きな回転力が生まれるこの大きな軸の回転力で発電機を回転させて発電する、
（５）発電機は交流１００ボルトで発電する夜間など太陽光発電ができないため発電機で発電した交流１００ボルトを直流１２ボルトに変換してバッテリーに常時充電できるようにする又外部より充電ができるように充電器を取り付ける、
以上（１）（２）（３）（４）（５）の構成からなることを特徴とする電動発電機。
【図面の簡単な説明】
【０００４】
【図１】全体図  太陽光発電と、てこ棒と滑車を組み合わせて、てこ棒の軸（支点）の回転運動ができるようにすることで、てこ棒の力と滑車の力が組み合わされて、てこ棒の軸に大きな回転力が生まれる、この軸の大きな回転力で発電機を回転させて発電ができるようにした電動発電機の全体図。
【符号の説明】
【０００５】１  太陽光発電パネル
２  バッテリーに充電
３  引き上げると回転
４  引き下げると空回転
５  ワイヤーロープ
６  定滑車
７  動滑車
８  右のクランクシャフト
９  左のクランクシャフト
１０  回転
１１  車輪
１２  クランクシャフト
１３  直流モーター
１４  発電機
１５  バッテリー
１６  バッテリーに充電
１７  充電器
１８  交流１００ボルト発電
１９  バッテリーの電気で直流モーターを回転させる
２０  直流１２ボルトに変換
２１  上下運動
【手続補正３】
【補正対象書類名】図面
【補正対象項目名】全図
【補正方法】変更
【補正の内容】
【図１】
0003174519.tif 000005